(57)【要約】【課題】記録ヘッドへのインキ、水、紙粉等の付着を極力防止することにより、記録ヘッドの清掃回数を少なくすることができる印刷機を提供すること。【解決手段】記録ヘッド移動機構２０２は、支持部材２０４に固定された一対のガイドレール２０８と、このガイドレール２０８と平行に配設されたボールねじ２０７とを有する。記録ヘッド２０１は、モータ２０６の駆動でボールねじ２０７を回転させることにより、第１の版胴１１の軸２３１と平行に移動する。この記録ヘッド移動機構２０２により、記録ヘッド２０１は、画像の記録時には図２において実線で示す記録開始位置Ａと仮想線で示す記録終了位置Ｂとの間の移動領域２２０を画像を定速で移動しながら画像を記録する。画像記録が終了すると、記録ヘッド２０１は仮想線Ｃで示す退避位置２２１へ移動する。【選択図】        図２
2004209963.tif 000002
【特許請求の範囲】
【請求項１】
その外周部に印刷版を装着して回転する版胴と、
記録ヘッドを前記版胴の表面に沿って前記版胴の回転軸と平行な方向に移動させることにより、前記版胴の外周部に装着された印刷版に画像を記録する画像記録装置と、
前記版胴の外周部に装着され、前記画像記録装置により画像が記録された印刷版にインキを供給するインキ供給装置とを備え、
印刷版への画像の記録と、画像が記録された後の印刷版を使用しての印刷とを実行する印刷機において、
印刷時に、画像の記録時において前記記録ヘッドが移動する移動領域の側方の退避位置まで前記記録ヘッドを移動させる移動手段を備えたことを特徴とする印刷機。
【請求項２】
請求項１に記載の印刷機において、
前記移動領域と前記退避位置との間に、前記記録ヘッドの移動用の開口部が形成された遮蔽板を配置した印刷機。
【請求項３】
請求項２に記載の印刷機において、
前記遮蔽板は、前記版胴を軸支する側板である印刷機。
【請求項４】
請求項２または請求項３に記載の印刷機において、
前記遮蔽板の開口部を開閉する遮蔽扉を備えた印刷機。
【請求項５】
請求項４に記載の印刷機において、
前記遮蔽扉は、前記記録ヘッドが前記退避位置に配置されたときに前記移動領域側となる位置において、前記記録ヘッドに付設され、前記記録ヘッドが退避位置に配置されたときに、前記遮蔽板の開口部を閉鎖する印刷機。
【請求項６】
請求項１乃至請求項４のいずれかに記載の印刷機において、前記退避位置から前記移動領域に向かう気体の流れを形成する気体流形成手段を有する印刷機。
【請求項７】
請求項６に記載の印刷機において、
前記気体流形成手段は、
前記退避位置に移動した記録ヘッドを囲うとともに、前記移動領域方向に前記記録ヘッドの移動用の開口部が形成されたチャンバーと、
前記チャンバー内に印刷機外部から取り込んだ気体を流入させるファンと、を備える印刷機。
【請求項８】
請求項１乃至請求項４のいずれかに記載の印刷機において、前記退避位置と前記移動領域との間を遮断する気体流を形成するための気体噴出ノズルを備える印刷機。
【発明の詳細な説明】
【０００１】
【発明の属する技術分野】
この発明は、版胴の外周部に装着された印刷版に画像を記録して製版した後、この印刷版にインキを供給して印刷を行う印刷機に関する。
【０００２】
【従来の技術】
従来の一般的な印刷機においては、製版工程において白黒二値画像の記録されたフィルムと印刷版とを密着させて露光することにより印刷版を作成し、この印刷版を印刷装置に装着した上で、印刷工程を実行していた。
【０００３】
一方、近年、このような製版工程と印刷工程とを一つの装置で実行することができる、デジタル印刷機と一般的に呼称される印刷機が提案されている。このデジタル印刷機においては、例えば、特許文献１に記載されるように、画像信号に基づき変調されたレーザビーム等により、印刷版を直接走査記録して印刷版に画像を形成する「コンピュータｔｏプレート」方式が採用されている。
【０００４】
【特許文献１】
特表平１０−５１０４９０号
【０００５】
特許文献１に記載されるような印刷機においては、その外周部に印刷版を装着する版胴、その外周部にブランケットを装着するブランケット胴、圧胴、版胴の外周部に装着された印刷版に画像を記録する画像記録装置、版胴の外周部に装着された印刷版にインキを供給するインキ供給装置等が同一空間内に配設されている。そして、前記版胴と、前記版胴の外周部に装着された印刷版に画像を記録する記録ヘッドとは、互いに近接する位置に配置されている。
【０００６】
【発明が解決しようとする課題】
このような製版工程と印刷工程とを一つの装置で実行することができる印刷機においては、印刷時においても記録ヘッドが版胴周辺に配置されているため、印刷機内に飛散するインキ、水、紙粉等が記録ヘッドに付着し、記録光量の低下を招くなどの理由により、記録画像が不完全になる可能性があった。このため、記録ヘッドを定期的に清掃することが必要となるという問題がある。
【０００７】
この発明は上記課題を解決するためになされたものであり、記録ヘッドへのインキ、水、紙粉等の付着を極力防止することにより、記録ヘッドの清掃回数を少なくすることができる印刷機を提供することを目的とする。
【０００８】
【課題を解決するための手段】
請求項１に記載の発明は、その外周部に印刷版を装着して回転する版胴と、記録ヘッドを前記版胴の表面に沿って前記版胴の回転軸と平行な方向に移動させることにより、前記版胴の外周部に装着された印刷版に画像を記録する画像記録装置と、前記版胴の外周部に装着され、前記画像記録装置により画像が記録された印刷版にインキを供給するインキ供給装置とを備え、印刷版への画像の記録と、画像が記録された後の印刷版を使用しての印刷とを実行する印刷機において、印刷時に、画像の記録時において前記記録ヘッドが移動する移動領域の側方の退避位置まで、前記記録ヘッドを移動させる移動手段を備えたことを特徴とする。
【０００９】
請求項２に記載の発明は、請求項１に記載の印刷機において、前記移動領域と前記退避位置との間に、前記記録ヘッドの移動用の開口部が形成された遮蔽板を配置した。
【００１０】
請求項３に記載の発明は、  請求項２に記載の印刷機において、前記遮蔽板は、前記版胴を軸支する側板である。
【００１１】
請求項４に記載の発明は、請求項２または請求項３に記載の印刷機において、前記遮蔽板の開口部を開閉する遮蔽扉を備えた。
【００１２】
請求項５に記載の発明は、請求項４に記載の印刷機において、前記遮蔽扉は、前記記録ヘッドが前記退避位置に配置されたときに、前記移動領域側となる位置において前記記録ヘッドに付設され、前記記録ヘッドが退避位置に配置されたときに、前記遮蔽板の開口部を閉鎖する。
【００１３】
請求項６に記載の発明は、請求項１乃至請求項４のいずれかに記載の印刷機において、前記退避位置から前記移動領域に向かう気体の流れを形成する気体流形成手段を有する。
【００１４】
請求項７に記載の発明は、請求項６に記載の印刷機において、前記気体流形成手段は、前記退避位置に移動した記録ヘッドを囲うとともに、前記移動領域方向に前記記録ヘッドの移動用の開口部が形成されたチャンバーと、前記チャンバー内に印刷機外部から取り込んだ気体を流入させるファンとを備える。
【００１５】
請求項８に記載の発明は、請求項１乃至請求項４のいずれかに記載の印刷機において、前記退避位置と前記移動領域との間を遮断する気体流を形成するための気体噴出ノズルを備える。
【００１６】
【発明の実施の形態】
以下、この発明の実施の形態を図面に基づいて説明する。図１は、この発明を適用する印刷機の概要図である。
【００１７】
この印刷機は、第１、第２の版胴１１、１２に保持された画像が記録されていない印刷版に画像を記録して製版した後、この印刷版に供給されたインキを第１、第２のブランケット胴１３、１４を介して圧胴１５に保持された印刷用紙に転写することにより印刷を行うものである。
【００１８】
この印刷機は、第１の版胴１１と、第２の版胴１２と、第１の版胴１１と当接可能に設けられた第１のブランケット胴１３と、第２の版胴１２と当接可能に設けられた第２のブランケット胴１４と、第１、第２のブランケット胴１３、１４に対して互いに異なる位置で当接可能に設けられた圧胴１５と、給紙部２７から供給された印刷用紙を圧胴１５に渡すための給紙胴１６と、圧胴１５から受け取った印刷済の印刷用紙を排紙部２８に排出するためのチェーン１９をスプロケット１８との間で巻回した排紙胴１７とを有する。
【００１９】
第１、第２のブランケット胴１３、１４と当接可能に設けられた圧胴１５は、第１、第２の版胴１１、１２および第１、第２のブランケット胴１３、１４の直径の１／２の直径を有する。また、圧胴１５は、印刷用紙の先端を保持して搬送するための図示しないグリッパを有する。
【００２０】
また、圧胴１５に隣接して配設された給紙胴１６は、圧胴１５と同一の直径を有する。この給紙胴１６は、給紙部２７から１枚ずつ供給された印刷用紙の先端部を図示しないグリッパにより保持して搬送する。グリッパにより保持された印刷用紙の先端部は、給紙胴１６から圧胴１５への印刷用紙の受け渡し時に、圧胴１５のグリッパにより保持される。
【００２１】
また、圧胴１５に隣接して配設された排紙胴１７は、圧胴１５と同一の直径を有する。この排紙胴１７は、その両端部に一対のチェーン１９を巻回した構造を有し、この一対のチェーン１９を連結する図示しない連結部材上に、グリッパが配設されている。圧胴１５のグリッパにより保持された印刷用紙の先端部は、圧胴１５から排紙胴１７への印刷用紙の受け渡し時に、排紙胴１７のいずれかのグリッパにより保持される。そして、この印刷用紙は、チェーン１９の移動に伴って、排紙部２８上に排出される。
【００２２】
前記圧胴１５は、ベルト２２を介して駆動モータ１０と連結されている。そして、圧胴１５、給紙胴１６、排紙胴１７、第１、第２のブランケット胴１３、１４は、各々その端部に付設されたギヤにより連結されている。さらに、第１のブランケット胴１３と第１の版胴１１、および、第２のブランケット胴１４と第２の版胴１２とは、第１、第２のブランケット胴１３、１４が後述する印刷位置に配置された状態においては、その端部に付設されたギヤにより各々連結されている。従って、駆動モータ１０の駆動により、これらの給紙胴１６、圧胴１５、排紙胴１７、第１、第２のブランケット胴１３、１４、第１、第２の版胴１１、１２は、互いに同期して回転する。
【００２３】
第１の版胴１１の周囲には、印刷版に例えばブラック（Ｋ）のインキを供給するためのインキ供給装置２０ａと、印刷版に例えばマゼンタ（Ｍ）のインキを供給するためのインキ供給装置２０ｂと、印刷版に湿し水を供給するための湿し水供給装置２１ａ、２１ｂとが配置されている。また、第２の版胴１２の周囲には、印刷版に例えばシアン（Ｃ）のインキを供給するためのインキ供給装置２０ｃと、印刷版に例えばイエロー（Ｙ）のインキを供給するためのインキ供給装置２０ｄと、印刷版に湿し水を供給するための湿し水供給装置２１ｃ、２１ｄとが配置されている。
【００２４】
さらに、第１の版胴１１または第２の版胴１２の周囲には、それぞれ、第１の版胴１１の外周部に印刷版を供給するための給版部２３と、第２の版胴の外周部に印刷版を供給するための給版部２４と、第１の版胴１１の外周部に装着された印刷版に画像を記録するための画像記録装置２５と、第２の版胴１２の外周部に装着された印刷版に画像を記録するための画像記録装置２６と、第１の版胴１１および第２の版胴１２に共通の排版部２９とが配置されている。
【００２５】
なお、画像記録装置２５、２６は、印刷時に記録ヘッドを退避位置まで移動させる記録ヘッド移動機構を備える。記録ヘッド移動機構の構成については、後程詳細に説明する。
【００２６】
このような構成を有する印刷機においては、給版部２３における供給カセット３１から引き出された印刷版はカッター３２により所定のサイズに切断される。
そして、切断されたシート状の印刷版の先端部は、ガイドローラおよびガイド部材により案内され、第１の版胴１１のくわえ爪にくわえられる。そして、第１の版胴１１が後述するモータ４３の駆動により回転し、印刷版が第１の版胴１１の外周部に巻き付けられ、印刷版の後端部は他方のくわえ爪によりくわえられる。
この状態において、第１の版胴１１を後述するモータ４３の駆動により低速で回転させながら、画像記録装置２５により第１の版胴１１の外周部に保持された印刷版の表面に変調されたレーザビームを照射し、画像を記録する。
【００２７】
同様に、給版部２４における供給カセット３３から引き出された印刷版はカッター３２により所定のサイズに切断される。そして、切断されたシート状の印刷版の先端部は、ガイドローラおよびガイド部材により案内され、第２の版胴１２のくわえ爪にくわえられる。そして、第２の版胴１２が後述するモータ４３の駆動により回転し、印刷版が第２の版胴１２の外周部に巻き付けられ、印刷版の後端部は他方のくわえ爪によりくわえられる。この状態において、第２の版胴１２を後述するモータ４３の駆動により低速で回転させながら、画像記録装置２６により第２の版胴１２の外周部に保持された印刷版の表面に変調されたレーザビームを照射し、画像を記録する。
【００２８】
なお、第１の版胴１１の外周部には、ブラックのインキで印刷を行うための印刷版と、マゼンタのインキで印刷を行うための印刷版とが装着される。これら２枚の印刷版は、均等に振り分けられた状態（すなわち互いに１８０度離隔した状態）となる位置に配置され、画像記録装置２５はこれらの印刷版に画像を記録する。同様に、第２の版胴１２の外周部には、シアンのインキで印刷を行うための印刷版と、イエローのインキで印刷を行うための印刷版と装着される。これら２枚の印刷版も、均等に振り分けられた状態となる位置に配置され、画像記録装置２６はこれらの印刷版に画像を記録して、製版工程が終了する。
【００２９】
製版工程が完了すれば、第１、第２の版胴１１、１２上の印刷版を用いて印刷用紙に印刷を行う印刷工程を実行する。この印刷工程は、次のようにして実行される。
【００３０】
すなわち、先ず、各湿し水供給装置２１および各インキ供給装置２０を第１、第２の版胴１１、１２上に保持された印刷版のうちの対応する印刷版とのみ当接させる。これにより、各印刷版には対応する各湿し水供給装置２１および各インキ供給装置２０から湿し水とインキとが供給される。そして、印刷版に供給されたインキは、第１、第２のブランケット胴１３、１４の対応する領域に転写される。
【００３１】
そして、印刷用紙を給紙胴１６に供給する。この印刷用紙は、給紙胴１６から圧胴１５に渡される。この状態で、圧胴１５が回転を続けると、圧胴１５は、第１、第２の版胴１１、１２および第１、第２のブランケット胴１３、１４の１／２の直径を有することから、圧胴１５の外周部に保持された印刷用紙には、その１回転目においてブラックとシアンのインキが、また、その２回転目においてマゼンタとイエローのインキが転写される。
【００３２】
このようにして、４色の印刷が終了した印刷用紙の先端部は、圧胴１５から排紙胴１７に渡される。そして、４色の印刷が終了した印刷用紙は、一対のチェーン１９の駆動により、排紙部２８に向けて搬送されて排出される。
【００３３】
印刷工程が終了すれば、印刷に使用した印刷版を排版部２９に排出する。そして、図示しないブランケット胴洗浄装置により第１、第２のブランケット胴１３、１４を洗浄して印刷工程を終了する。
【００３４】
このような印刷機においては、印刷時において、画像記録装置２５、２６における記録ヘッドと第１、第２の版胴１１、１２とが互いに近接する位置に配置された場合には、印刷機内に飛散するインキ、水、紙粉等が記録ヘッドに付着しやすくなるため、この印刷機においては、印刷時には記録ヘッド移動機構により記録ヘッドを退避位置まで移動させる構成となっている。
【００３５】
以下、画像記録装置２５、２６の構成について説明する。図２はこの発明の第１実施形態に係る印刷機における画像記録装置２５の要部を示す斜視図である。
【００３６】
なお、画像記録装置２６は、この画像記録装置２５と同様の構成を有するため、詳細な説明は省略する。
【００３７】
この画像記録装置２５は、記録ヘッド２０１と、記録ヘッド移動機構２０２とを備える。記録ヘッド移動機構２０２は、軸受け２３０を介して第１の版胴１１を軸支する一対の側板２０９間に架設された支持部材２０４と、この支持部材２０４の側面に固定された一対のガイドレール２０８と、このガイドレール２０８と平行に配設されたボールねじ２０７とを有する。一対のガイドレール２０８とボールねじ２０７とは、第１の版胴１１の軸２３１と平行になっている。ボールねじ２０７は、支持部材２０４の一端に固定されたモータ２０６と減速機２０５を介して接続される。また、このボールねじ２０７は、記録ヘッド２０１を支持する支持板２１０に付設されたナット２１１と螺合している。このため、モータ２０６の駆動でボールねじ２０７を回転させることにより、記録ヘッド２０１を、第１の版胴１１の軸２３１と平行に移動させることができる。
【００３８】
このような記録ヘッド移動機構２０２により、記録ヘッド２０１は、画像の記録時には、図２において実線で示す記録開始位置Ａと仮想線で示す記録終了位置Ｂとの間の移動領域２２０を定速で移動しながら版胴１１の外周部に装着された印刷版に画像を記録する。画像記録が終了すると、記録ヘッド２０１は図２において仮想線Ｃで示す移動領域２２０の側方の退避位置２２１へ移動し、次の画像記録時まで待機する。
【００３９】
以上のような印刷機においては、印刷時に記録ヘッド２０１を退避位置２２１で待機させることにより、この印刷機内に飛散したインキ、水、紙粉等により記録ヘッド２０１が汚染されることを極力防止することが可能となる。
【００４０】
次に、この発明の他の実施形態について説明する。図３は、この発明の第２実施形態に係る印刷機の画像記録装置２５の要部を示す斜視図である。なお、以下の説明においては、上述した第１実施形態と同一の部材については、同一の符号を付して詳細な説明を省略する。
【００４１】
この発明の第２実施形態に係る印刷機の画像記録装置２５は、第１実施形態に係る印刷機の画像記録装置２５と同様、記録ヘッド２０１と、記録ヘッド移動機構２０２とを備える。
【００４２】
そして、この第２実施形態に係る印刷機の画像記録装置２５には、さらに第１実施形態と同様の退避位置に移動した記録ヘッド２０１を囲うとともに、移動領域２２０方向に記録ヘッド２０１の移動用の図示しない開口部が形成されたチャンバー２０３と、その開口部を開放し、あるいは閉鎖するための遮蔽扉２１２と、遮蔽扉２１２を開閉移動させる遮蔽扉移動機構２１３が配設される。このチャンバー２０３は、記録ヘッド２０１の移動方向の延長線上であって、一方の側板２０９の外側側方に付設される。
【００４３】
遮蔽扉移動機構２１３は、チャンバー２０３が設けられた側板２０９に付設された一対のガイドレール２１７と、遮蔽扉２１２の側面に固設されたラック２１４と、このラックに係合されたピニオン２１６とを備える。この一対のガイドレール２１７は記録ヘッドの移動方向に対して垂直であって、ラック２１４と平行に配置されている。また、このピニオン２１６は、モータ２１５の回転軸に取り付けられる。このような構成を有する遮蔽扉移動機構２１３によれば、モータ２１５の駆動によりピニオン２１６を回転させることにより、このピニオン２１６に係合されたラック２１４の運動に伴って、遮蔽扉２１２を記録ヘッド２０１の移動方向と垂直な方向に移動させることができる。
【００４４】
以上のような印刷機においては、少なくとも記録ヘッド２０１が退避位置２２１にある時に、遮蔽扉２１２が記録ヘッド２０１の移動用の開口部を遮蔽することにより、印刷機内に飛散したインキ、水、紙粉等により記録ヘッド２０１が汚染されることを、さらに少なくすることが可能となる。
【００４５】
図４は、この発明の第３実施形態に係る印刷機の画像記録装置２５の要部を示す斜視図である。
【００４６】
この発明の第３実施形態に係る印刷機の画像記録装置２５は、第２実施形態に係る印刷機の画像記録装置２５と同様に、記録ヘッド２０１と、記録ヘッド移動機構２０２と、チャンバー２０３とを備える。
【００４７】
しかし、この発明の第３実施形態に係る印刷機の画像記録装置２５は、遮蔽扉２１２及び遮蔽扉移動機構２１３を省略している。そして、この画像記録装置２５におけるチャンバー２０３は、気体流入用のファン２１８を備えている。チャンバー２０３内に印刷機外部から取り込んだ気体としての空気を流入させるためのファン２１８からチャンバー２０３に送られる空気は、記録ヘッド２０１の移動用の開口部を通過して印刷機内部へ送り込まれる。このため、印刷機外部から印刷機内部への空気の流れが形成される。
【００４８】
なお、ファン２１８から流入する空気は、図示しないエアダクトから印刷機以外の清浄な空気が供給されるのが好ましい。また、ファン２１８は常時稼動でなく、少なくとも印刷作業実行中に稼動されればよい。
【００４９】
以上のような印刷機においては、印刷機外部から印刷機内部への空気の流れにより、この印刷機内に飛散したインキ、水、紙粉等が退避位置２２１に侵入することを防止することができる。このため、インキ、水、紙粉等により、印刷機が汚染されることをさらに少なくすることが可能となる。
【００５０】
図５は、この発明の第４実施形態に係る印刷機の画像記録装置２５の要部を示す斜視図であり、図６は、この発明の第４実施形態に係る印刷機の画像記録装置２５における記録ヘッド２０１の移動の様子を示す概略側面図である。
【００５１】
この発明の第４実施形態に係る印刷機の画像記録装置２５も、また、第２実施形態に係る印刷機の画像記録装置２５と同様に、記録ヘッド２０１と、記録ヘッド移動機構２０２と、チャンバー２０３とを備える。
【００５２】
しかし、この発明の第４実施形態に係る印刷機の画像記録装置２５は、遮蔽扉移動機構２１３を省略している。そして、遮蔽扉２１２は、記録ヘッド２０１がチャンバー２０３内に配置されたときに移動領域２２０側となる位置において、記録ヘッド２０１に付設される。このため、遮蔽扉２１２は、記録ヘッド２０１とともに移動し、記録ヘッド２０１がチャンバー２０３内に配置されたときに、記録ヘッド２０１の移動用の開口部を閉鎖する。
【００５３】
なお、図６に示すように、遮蔽扉２１２の記録ヘッド２０１側には、スポンジ等の衝撃吸収部材２４０が付設れる。これにより、遮蔽扉２１２が移動用の開口部を閉鎖するときに、遮蔽扉２１２が側板２０９またはチャンバー２０３と衝突する場合であっても、この衝突による衝撃を吸収し、装置に損傷を与えることを防止することができる。
【００５４】
以上のような印刷機においては、遮蔽扉移動機構２１３を備えることなく、記録ヘッド２０１が退避位置２２１に配置されたときに、記録ヘッド２０１に移動用の開口部を閉鎖することができる。これにより、簡易な構成でありながら、印刷機内に飛散したインキ、水、紙粉等により記録ヘッド２０１が汚染されることを少なくすることが可能となる。
【００５５】
図７は、この発明の第５実施形態に係る印刷機の画像記録装置２５の要部を示す斜視図であり、図８は、この発明の第５実施形態に係る印刷機の画像記録装置２５におけるチャンバー２０３内の様子を示す概略断面図である。
【００５６】
この発明の第５実施形態に係る印刷機の画像記録装置２５も、また、第２実施形態に係る印刷機の画像記録装置２５と同様に、記録ヘッド２０１と、記録ヘッド移動機構２０２と、チャンバー２０３とを備える。
【００５７】
しかし、この発明の第５実施形態に係る印刷機の画像記録装置２５は、遮蔽扉移動機構２１３を省略している。そして、チャンバー２０３内に退避位置２２１と移動領域２２０との間を遮断する気体流（図８に示す矢印方向の流れ）を形成するために図示しない空気圧縮機に接続される気体噴出ノズル２５０を備える。
この気体噴出ノズル２５０から噴出される気体流により、退避位置２２１と移動領域２２０との間を気体が流通することはない。
【００５８】
以上のような印刷機においては、遮蔽扉移動機構２１３を備えることなく、退避位置２２１と移動領域２２０との間の気体の流れを遮断することができる。これにより、簡易な構成でありながら、印刷機内に飛散したインキ、水、紙粉等により退避位置２２１に位置する記録ヘッド２０１が汚染されることを少なくすることが可能となる。
【００５９】
なお、上述の実施形態では、遮蔽板として版胴１１を軸支した側板２０９を利用していたが、遮蔽板を側板とは別に設置することも可能である。
【００６０】
【発明の効果】
請求項１に記載の発明によれば、印刷時に、画像の記録時において前記記録ヘッドが移動する移動領域の側方の退避位置まで前記記録ヘッドを移動させる移動手段を備えることから、印刷機内に飛散したインキ、水、紙粉等の付着を極力防止することにより、記録ヘッドの清掃回数を減らすことが可能となる。
【００６１】
請求項２に記載の発明によれば、記録ヘッドの移動領域と退避位置との間に、記録ヘッドの移動用の開口部が形成された遮蔽板を配置することから、記録ヘッドの退避位置にまで飛散するインキ、水、紙粉等を減少させることが可能となる。
【００６２】
請求項３に記載の発明によれば、遮蔽板は、版胴を軸支する側板であることから、印刷機の構成を簡素化することが可能となる。
【００６３】
請求項４に記載の発明によれば、遮蔽板の開口部を開閉する遮蔽扉を備えることから、インキ、水、紙粉等が記録ヘッドの退避位置に侵入することを減らすことが可能となる。
【００６４】
請求項５に記載の発明によれば、遮蔽扉は、記録ヘッドに付設され、記録ヘッドが退避位置に配置されたときに、遮蔽板の開口部を閉鎖することから、遮蔽扉を移動させるための特別の移動機構を設ける必要はなくなる。このため、簡易な構成でありながら、印刷機内に飛散したインキ、水、紙粉等が記録ヘッドの退避位置に侵入することを減らすことが可能となる。
【００６５】
請求項６に記載の発明によれば、記録ヘッドの退避位置から移動領域に向かう気体の流れを形成する気体流形成手段を有することから、印刷機内に飛散するインキ、水、紙粉等が退避位置に侵入することを減らすことが可能となる。
【００６６】
請求項７に記載の発明によれば、気体流形成手段は、退避位置に移動した記録ヘッドを囲うとともに、移動領域方向に記録ヘッドの移動用の開口部が形成されたチャンバーと、前記チャンバー内に印刷機外部から取り込んだ気体を流入させるファンとを備えることから、気体流を効率よく形成することが可能となる。
【００６７】
請求項８に記載の発明によれば、退避位置と移動領域との間を遮断する気体流を形成するための気体噴出ノズルを備えることから、簡易な構成でありながら、印刷機内に飛散したインキ、水、紙粉等が記録ヘッドの退避位置に侵入することを減らすことが可能となる。
【図面の簡単な説明】
【図１】この発明を適用する印刷機の概要図である。
【図２】この発明の第１実施形態に係る印刷機の画像記録装置の要部を示す斜視図である。
【図３】この発明の第２実施形態に係る印刷機の画像記録装置の要部を示す斜視図である。
【図４】この発明の第３実施形態に係る印刷機の画像記録装置の要部を示す斜視図である。
【図５】この発明の第４実施形態に係る印刷機の画像記録装置の要部を示す斜視図である。
【図６】この発明の第４実施形態に係る印刷機の画像記録装置２５における記録ヘッド２０１の移動の様子を示す概略側面図である。
【図７】この発明の第５実施形態に係る印刷機の画像記録装置の要部を示す斜視図である。
【図８】この発明の第５実施形態に係る印刷機の画像記録装置２５におけるチャンバー２０３内の様子を示す概略断面図である。
【符号の説明】
１０      駆動モータ
１１      第１の版胴
１２      第２の版胴
１３      第１のブランケット胴
１４      第２のブランケット胴
１５      圧胴
１６      給紙胴
１７      排紙胴
２０      インキ供給装置
２１      湿し水供給装置
２２      ベルト
２３      給版部
２４      給版部
２５      画像記録装置
２６      画像記録装置
２７      給紙部
２８      排紙部
２９      排版部
２０１    記録ヘッド
２０２    記録ヘッド移動機構
２０３    チャンバー
２０４    支持部材
２０５    減速機
２０６    モータ
２０７    ボールねじ
２０８    ガイドレール
２０９    側板
２１０    支持板
２１１    ナット
２１２    遮蔽扉
２１３    遮蔽扉移動機構
２１４    ラック
２１５    モータ
２１６    ピニオン
２１７    ガイドレール
２１８    ファン
２２０    移動領域
２２１    退避位置
２３０    軸受け
２３１    軸
２４０    衝撃吸収部材
２５０    気体噴出ノズル
【図１】
2004209963.tif 000003
【図２】
2004209963.tif 000004
【図３】
2004209963.tif 000005
【図４】
2004209963.tif 000006
【図５】
2004209963.tif 000007
【図６】
2004209963.tif 000008
【図７】
2004209963.tif 000009
【図８】
2004209963.tif 000010